(57)【特許請求の範囲】
【請求項１】
被記録媒体を収容する下段側トレイと、
前記下段側トレイの上部において前記下段側トレイに対しスライド可能に且つ回動可能に設けられ、回動する際の回動軸が前記下段側トレイによって支持された、被記録媒体を収容する上段側トレイと、を備え、
前記回動軸は、前記上段側トレイにおいて被記録媒体の送り出し方向の先端側に設けられ、
前記上段側トレイにおいて被記録媒体の送り出し方向の先端部には、被記録媒体先端と対向する第１ストッパー部と当該第１ストッパー部から被記録媒体の上面に対向する位置まで突出する第２ストッパー部とを備えたストッパー手段が設けられている、
ことを特徴とする被記録媒体カセット。
【請求項２】
被記録媒体を収容する下段側トレイと、
前記下段側トレイの上部において前記下段側トレイに対しスライド可能に且つ回動可能に設けられ、回動する際の回動軸が前記下段側トレイによって支持された、被記録媒体を収容する上段側トレイと、を備え、
前記上段側トレイは、回動可能範囲において少なくとも前記下段側トレイとの成す角が最も小さい第１の姿勢において当該下段側トレイに対してスライド可能であり、
前記上段側トレイが前記第１の姿勢にあるときに、当該上段側トレイは、そのスライド可能範囲において被記録媒体送り出し方向端部の突き当たり位置に位置するときにのみ回動可能に設けられている、
ことを特徴とする被記録媒体カセット。
【請求項３】
請求項２に記載の被記録媒体カセットにおいて、前記上段側トレイには、前記回動軸と、当該回動軸に対して前記上段側トレイのスライド方向に所定の間隔を置いて設けられた被支持部と、が被記録媒体の送り方向と交差する方向の両側に設けられ、
前記回動軸と前記被支持部とが、前記下段側トレイに接してスライドする構成を備え、
前記下段側トレイには、前記上段側トレイが前記突き当たり位置から外れた場所に位置する際に前記被支持部のスライド方向と交差する方向に前記被支持部が変位しない様、当該被支持部を拘束し、前記上段側トレイが前記突き当たり位置に位置する際に前記拘束を解除する拘束手段が設けられ、
前記上段側トレイが前記第１の姿勢をとり且つ前記突き当たり位置にあるときに、前記拘束手段が前記被支持部の拘束を解除することで、前記上段側トレイが回動な状態となり、
前記上段側トレイが前記第１の姿勢をとり且つ前記突き当たり位置から外れた位置にあるときに、前記拘束手段が前記被支持部を拘束することで、前記上段側トレイの回動が規制された状態となる、
ことを特徴とする被記録媒体カセット。
【請求項４】
請求項２または請求項３に記載の被記録媒体カセットにおいて、前記上段側トレイが前記突き当たり位置に位置し、且つ当該上段側トレイが前記第１の姿勢以外の姿勢をとる際に、当該上段側トレイのスライド動作を規制する規制手段を備える、
ことを特徴とする被記録媒体カセット。
【請求項５】
被記録媒体に記録を行う記録手段と、
請求項１から請求項４のいずれか１項に記載の被記録媒体カセットと、を備えた記録装置。
【発明の詳細な説明】
【技術分野】
【０００１】
本発明は、装置本体に対し着脱可能な被記録媒体カセットに関する。また本発明は、前記被記録媒体カセットを備えた、ファクシミリやプリンター等に代表される記録装置に関する。
【背景技術】
【０００２】
装置本体に対して着脱可能な用紙カセットは従来から広く用いられている。また、その中でも特許文献１や特許文献２に示されるように、一つの着脱自在な用紙カセット（トレイ）において下段と上段に用紙収容部を備えた２段式構造のものが知られている。
【先行技術文献】
【特許文献】
【０００３】
【特許文献１】特開２００６−２７３５６５号公報
【特許文献２】特開２００７−９１４４５号公報
【発明の概要】
【発明が解決しようとする課題】
【０００４】
上記特許文献２記載の画像記録装置では、下段の用紙カセットが第１給紙カセットと呼ばれ、上段の用紙カセットが第２給紙カセットと呼ばれている。第２給紙カセットは、固定部と可動部とを有しており、固定部と可動部とが一体となって第１給紙カセットに対してスライド可能に設けられている。
【０００５】
また、可動部は固定部に対してヒンジを介して連結されており、即ち可動部は固定部に対して回動可能に設けられ、回動することにより、下側の第１給紙カセットを開放できる様になっている。
【０００６】
この様に従来技術に係る２段式構造の給紙カセットは、第２給紙カセットが固定部と可動部とを備えて構成されたことにより、第２給紙カセットが第１給紙カセットに対してスライド可能に且つ回動可能に構成されていたが、第２給紙カセットが固定部と可動部とを備えて構成されたことで、部品点数の増加に伴うコストアップを招き易い構造となっている。
【０００７】
また、可動部を回動させると、当該可動部は水平姿勢から直立姿勢の側へと変位することから、第２給紙カセットに収容されている用紙が脱落してしまう虞があった。
【０００８】
そこで本発明はこの様な状況に鑑みなされたものであり、その目的は、より一層簡単な構造によって低コスト化を図ることのできる、複数段式の用紙カセットを得ることにある。また本発明は、これに加えて更に、上段側のカセットを回動させた際の用紙の脱落を防止できる用紙カセットを得ることを目的とする。
【０００９】
尚、記録装置において用紙を収容する用紙収容部の呼称としては「カセット」、「トレイ」など種々のものがあるが、本明細書では装置本体に対して着脱可能な一つのユニット体全体を「カセット」と言い、このカセットを構成する複数の用紙収容部を「トレイ」と言うこととする。
【課題を解決するための手段】
【００１０】
上記課題を解決する為の、本発明の第１の態様に係る被記録媒体カセットは、被記録媒体を収容する下段側トレイと、前記下段側トレイの上部において前記下段側トレイに対しスライド可能に且つ回動可能に設けられ、回動する際の回動軸が前記下段側トレイによって直接支持された、被記録媒体を収容する上段側トレイと、を備えたことを特徴とする。
【００１１】
本態様によれば、上段側トレイの回動軸が下段側トレイによって直接支持されるので、即ち上段側トレイを、例えば下段側トレイに対して回動しない固定部を介して連結する必要がなくなり、複数段式の被記録媒体カセットを、より一層簡単な構造によって低コスト化を図ることができる。
【００１２】
本発明の第２の態様は、第１の態様において、前記上段側トレイには、前記回動軸と、当該回動軸に対して前記上段側トレイのスライド方向に所定の間隔を置いて設けられた被支持部と、が被記録媒体の送り方向と交差する方向の両側に設けられ、前記回動軸と前記被支持部とが、前記下段側トレイに接してスライドする構成を備えることを特徴とする。
【００１３】
本態様によれば、前記上段側トレイの両側に設けられた回動軸と被支持部とが下段側トレイに接してスライドする構成であるので、前記上段側トレイを前記下段側トレイに対してスライド可能とする構造を簡単にし、より一層の低コスト化を図ることができる。
【００１４】
本発明の第３の態様は、第１のまたは第２の態様において、前記回動軸は、前記上段側トレイにおいて被記録媒体の送り出し方向の先端側に設けられ、前記上段側トレイにおいて被記録媒体の送り出し方向の先端部には、被記録媒体先端と対向する第１ストッパー部と当該第１ストッパー部から被記録媒体の上面に差し掛かる位置まで延びる第２ストッパー部とを備えたストッパー手段が設けられていることを特徴とする。
【００１５】
本態様によれば、上段側トレイにおいて被記録媒体の送り出し方向の先端部には、被記録媒体先端と対向する第１ストッパー部と当該第１ストッパー部から被記録媒体の上面に差し掛かる位置まで延びる第２ストッパー部とを備えたストッパー手段が設けられているので、上段側トレイを回動させた際に、当該上段側トレイに収容された被記録媒体が脱落することをより確実に抑制することができる。
【００１６】
本発明の第４の態様は、第１から第３の態様のいずれかにおいて、前記上段側トレイは、回動可能範囲において少なくとも前記下段側トレイとの成す角が最も小さい第１の姿勢において当該下段側トレイに対してスライド可能であり、前記上段側トレイが前記第１の姿勢にあるときに、当該上段側トレイは、そのスライド可能範囲において被記録媒体送り出し方向端部の突き当たり位置に位置するときにのみ回動可能に設けられていることを特徴とする。
【００１７】
上段側トレイの先端部に被記録媒体の脱落を防止するストッパーが設けられている場合、上段側トレイを回動させると、当該ストッパーが、下段側トレイに収容された被記録媒体の記録面に当接し、当該記録面にダメージを与える虞がある。しかしながら本態様によれば、前記上段側トレイが前記第１の姿勢にあるときに、そのスライド可能範囲において被記録媒体送り出し方向端部の突き当たり位置に位置するときにのみ回動可能であり、即ち上段側トレイの先端部に設けられた前記ストッパーを下段側トレイに収容された被記録媒体から外れた場所に配置することができるので、これにより上記不具合を解消することができる。
【００１８】
本発明の第５の態様は、第４の態様において、前記下段側トレイには、前記上段側トレイが前記突き当たり位置から外れた場所に位置する際に前記被支持部のスライド方向と交差する方向に前記被支持部が変位しない様、当該被支持部を拘束し、前記上段側トレイが前記突き当たり位置に位置する際に前記拘束を解除する拘束手段が設けられ、前記上段側トレイが前記第１の姿勢をとり且つ前記突き当たり位置にあるときに、前記拘束手段が前記被支持部の拘束を解除することで、前記上段側トレイが回動な状態となり、前記上段側トレイが前記第１の姿勢をとり且つ前記突き当たり位置から外れた位置にあるときに、前記拘束手段が前記被支持部を拘束することで、前記上段側トレイの回動が規制された状態となることを特徴とする。
【００１９】
本態様によれば、前記上段側トレイは、被支持部の拘束及び拘束解除によって回動可能な状態と回動が規制された状態とを切り替えることとなるので、前記上段側トレイを回動可能な状態と回動が規制された状態とを切り替える手段を簡単な構成で低コストに得ることができる。
【００２０】
本発明の第６の態様は、第４のまたは第５の態様において、前記上段側トレイが前記突き当たり位置に位置し、且つ当該上段側トレイが前記第１の姿勢以外の姿勢をとる際に、当該上段側トレイのスライド動作を規制する規制手段を備えることを特徴とする。
【００２１】
本態様によれば、前記上段側トレイが前記突き当たり位置に位置し、且つ当該上段側トレイが前記第１の姿勢以外の姿勢をとる際に、当該上段側トレイのスライド動作を規制する規制手段を備えるので、前記上段側トレイが前記第１の姿勢以外の姿勢、即ちアブノーマル状態のままスライドし、これによって当該上段側トレイが前記第１の姿勢に復帰できなくなるなどの不具合を防止することができる。
【００２２】
本発明の第７の態様に係る記録装置は、被記録媒体に記録を行う記録手段と、第１から第６の態様のいずれかに係る被記録媒体カセットと、を備えたことを特徴とする  
本態様によれば、記録装置において、上記第１から第６の態様のいずれかと同様な作用効果を得ることができる。
【図面の簡単な説明】
【００２３】
【図１】本発明に係るプリンターの外観斜視図。
【図２】本発明に係るプリンターの用紙搬送経路を示す側断面図。
【図３】本発明に係るプリンターの用紙搬送経路を示す側断面図。
【図４】本発明に係る用紙カセットの斜視図。
【図５】本発明に係る用紙カセットの、下段側トレイの斜視図。
【図６】本発明に係る用紙カセットの、上段側トレイの斜視図。
【図７】本発明に係る用紙カセットの平面図。
【図８】図７のＡ部拡大図。
【図９】本発明に係る用紙カセットの斜視図（上段側トレイ閉状態）。
【図１０】本発明に係る用紙カセットの斜視図（上段側トレイ開状態）。
【図１１】本発明に係る用紙カセットの側面図。
【図１２】（Ａ）、（Ｂ）は本発明の他の実施形態に係る用紙カセットの側面図（部分拡大図）。
【図１３】は本発明の他の実施形態に係る用紙カセットの側面図（部分拡大図）。
【発明を実施するための形態】
【００２４】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２５】
図１は本発明に係る「記録装置」の一実施形態であるインクジェットプリンター（以下「プリンター」と言う）１の外観斜視図、図２及び図３はプリンター１の用紙搬送経路を示す側断面図、図４は本発明に係る「被記録媒体カセット」の一実施形態である用紙カセット１００の斜視図、図５は下段側トレイ５０の斜視図、図６は上段側トレイ６０の斜視図である。
【００２６】
また、図７は用紙カセット１００の平面図、図８は図７のＡ部拡大図、図９及び図１０は用紙カセット１００の斜視図であり、図９は上段側トレイ６０が閉じた状態（第１の姿勢）を、図１０は上段側トレイ６０が開いた状態を、それぞれ示している。  
更に図１１は用紙カセット１００の側面図、図１２（Ａ）、（Ｂ）及び図１３は他の実施形態に係る用紙カセットの側面図（部分拡大図）である。
【００２７】
■■■１．プリンターの全体構成■■■■■■■■■■■■■■■■■■■■■■■■
以下、図１〜図３を参照しつつプリンター１の全体構成について概説する。プリンター１は、被記録媒体の一例としての記録用紙にインクジェット記録を行う記録部（装置本体）２の上部にスキャナユニット３を備えており、即ちインクジェット記録機能に加えてスキャナ機能を備える複合機として構成されている。
【００２８】
スキャナユニット３は、装置本体２に対して回動可能に設けられており、回動することにより、閉じた状態（図１）と開いた状態（不図示）とをとり得る。  
スキャナユニット３において上部のカバー４は開閉可能なカバーであり、当該カバー４を開放することにより、スキャナユニット３の原稿台３ａが表れる様になっている。
【００２９】
装置前面において符号５は、電源ボタンや各種印刷設定・記録実行を行う操作ボタン、印刷設定内容や印刷画像のプレビュー表示などを行う表示部、等を備えて成る操作パネルである。
【００３０】
また、装置前面において符号５９は下段側トレイ５０に設けられた開閉可能なカバーであり、図１はカバー５９が閉じた状態を、図２及び図３はカバー５９が開いた状態を、それぞれ示している。そしてこのカバー５９を開くことにより、排紙受けトレイ８と用紙カセット１００とが露呈する様に構成されている。
【００３１】
排紙受けトレイ８は、図示しないモーターによって装置本体２に収納された状態と、装置本体２の前方側に突出した状態（図２、図３）と、を取りうる様に設けられており、装置本体２の前方側に突出した状態となることで、記録が行われて排出される記録用紙を受けることができる。
【００３２】
用紙カセット１００は装置本体２に対して着脱可能となっており、この用紙カセット１００は本実施形態では２段構造となっていて、下段側トレイ５０と上段側トレイ６０とを備えて構成される（詳細は後述）。
【００３３】
装置本体２の後方上部において符号６は開閉可能な手差しカバーであり、この手差しカバー６を開くことにより、手差しトレイ７を利用した記録用紙の手差しでの給紙が行える様になっている。
【００３４】
続いて、図２及び図３を参照しつつプリンター１の用紙搬送経路について説明する。本実施形態に係るプリンター１は、装置底部に用紙カセット１００を備え、当該用紙カセット１００から記録用紙を１枚ずつ給送する。
【００３５】
用紙カセット１００は、装置本体２に対し、装置前方側から装着及び取り外し可能であり、下側に位置して用紙カセット１００の基体を構成する下段側トレイ５０と、その上側に位置する、給送可能位置（図３）と退避位置(図２）との間をスライド可能な上段側トレイ６０と、の２つの用紙収容部を備えている。
【００３６】
上段側トレイ６０は、下段側トレイ５０に対してスライド且つ回動可能に設けられており、図示しないモーターによって下段側トレイ５０に対してスライドし、給送可能位置（図３）と退避位置（図２）との間を変位する。
【００３７】
尚、図２においては、下段側トレイ５０に収容される用紙を符号Ｐ１で、上段側トレイ６０に収容される用紙を符号Ｐ２で、それぞれ示している（以下、特に区別する必要がない場合は「用紙Ｐ」と言う）。
【００３８】
図示しないモーターによって回転駆動されるピックアップローラー１０は、揺動軸１２を中心に揺動する揺動部材１１に設けられており、上段側トレイ６０が最も装置前方側（図２及び図３において右方向：用紙カセット１００の引き抜き方向側）にスライドした状態、即ち上段側トレイ６０が退避位置にあるときは（図２の状態）、下段側トレイ５０に収容された用紙Ｐ１の最上位のものと接して回転することにより、当該最上位の用紙Ｐ１を下段側トレイ５０から送り出す。
【００３９】
また上段側トレイ６０が最も装置後方側（図２及び図３において左方向：用紙カセット１００の装着方向側であり、用紙送り出し方向側でもある）にスライドした突き当たり位置にあるとき、即ち上段側トレイ６０の給送可能位置では（図３の状態）、ピックアップローラー１０が上段側トレイ６０に収容された用紙Ｐ２の最上位のものと接して回転することにより、当該最上位の用紙Ｐ２を上段側トレイ６０から送り出す。
【００４０】
装置本体２において用紙カセット１００の先端と対向する位置には、分離斜面１４が設けられており、用紙カセット１００が装着された状態では、下段側トレイ５０の先端に設けられたストッパー５０ｄ（図５参照）が、分離斜面１４より奥方（図２において左側）に入り込み、下段側トレイ５０に収容された用紙先端が分離斜面１４と当接可能な状態となる。
【００４１】
また上段側トレイ６０においては、当該上段側トレイ６０が給送可能位置（突き当たり位置：図３）に位置決めされた状態において、上段側トレイ６０の先端に設けられた第１ストッパー６０ｆ及び第２ストッパー６０ｇが、分離斜面１４より奥方に入り込み、上段側トレイ６０に収容された用紙先端が分離斜面１４と当接可能な状態となる。
【００４２】
そして下段側トレイ５０或いは上段側トレイ６０から送り出される用紙Ｐは、その先端が分離斜面１４に接しながら下流側に進むことで、給送されるべき最上位の用紙Ｐと次位以降の用紙Ｐとの分離が行われる。
【００４３】
分離手段１４の先には、図示しないモーターによって回転駆動される中間ローラー１７が設けられており、この中間ローラー１７によって用紙Ｐは湾曲反転させられ、装置前方側へと向かう。尚、符号１９、２０、２１は従動回転可能な従動ローラーであり、少なくとも用紙Ｐは、従動ローラー１９と中間ローラー１７とによってニップされ、また従動ローラー２０と中間ローラー１７とによってニップされて、下流側へと送られる。
【００４４】
中間ローラー１７の先には、図示しないモーターによって回転駆動される搬送駆動ローラー２４と、該搬送駆動ローラー２４に接して従動回転する搬送従動ローラー２５とが設けられており、これらローラーによって用紙Ｐが記録ヘッド３０の下へと送られる。
【００４５】
続いてインクを吐出する記録ヘッド３０はキャリッジ２９の底部に設けられ、当該キャリッジ２９は図示しないモーターによって主走査方向（図２及び図３の紙面表裏方向）に往復動する様に駆動される。
【００４６】
記録ヘッド３０と対向する位置には支持部材２８が設けられ、当該支持部材２８によって、用紙Ｐと記録ヘッド３０との間の間隔が規定される。そして支持部材２８の下流側には、図示しないモーターによって回転駆動される排出駆動ローラー３１と、当該排出駆動ローラー３１に接して従動回転する排出従動ローラー３２とが設けられている。記録ヘッド３０によって記録の行われた用紙Ｐは、これらローラーにより、上述した排紙受けトレイ８へ向けて排出される。
【００４７】
■■■２．用紙カセットの詳細■■■■■■■■■■■■■■■■■■■■■■■■■
以上がプリンター１の概要であり、以下、用紙カセット１００を構成する下段側トレイ５０及び上段側トレイ６０について図４以降をも参照して更に詳説する。  
下段側トレイ５０は、その底面５０ａに、用紙送り出し方向にスライド可能なエッジガイド５２を備えており、このエッジガイド５２により後端エッジの位置が規制されるようになっている。尚、本明細書において(用紙カセット１００からの）用紙送り出し方向とは図２及び図３において左方向であり、用紙長さ方向及び上段側トレイ６０のスライド方向とは図２及び図３において左右方向である。また、用紙幅方向とは図２及び図３の紙面表裏方向である。
【００４８】
下段側トレイ５０には、用紙幅方向にスライド可能なエッジガイド５１も設けられており、このエッジガイド５１により、用紙の一方側のサイドエッジの位置が規制されるようになっている。尚、図５では用紙の一方側のサイドエッジを規制するエッジガイド５１が現れているが、他方側のサイドエッジを規制するエッジガイドも設けられている（不図示）。本実施形態では、用紙のサイドエッジを規制する２つのエッジガイド５１は、用紙幅方向中心位置を中心にして対称に位置する様に、同期して変位できる様になっている。即ち本実施形態に係るプリンター１は、用紙幅方向中心位置を給送基準位置とする（上段側トレイ６０も同様）。
【００４９】
下段側トレイ５０の底面５０ａには、ピックアップローラー１０と用紙Ｐ１との接触位置に対応する場所の付近に高摩擦材５３が配置されており、この高摩擦材５３により、ピックアップローラー１０による用紙送り出し時に用紙束ごと下流側に送られないよう、当該用紙束が保持される様になっている。
【００５０】
下段側トレイ５０において用紙先端側（図５において左側）には、用紙先端位置を規制するストッパー５０ｄが設けられ、このストッパー５０ｄによって、下段側トレイ５０に用紙をセットした際に当該用紙が下段側トレイ５０から飛び出さない様に構成されている。尚、このストッパー５０ｄは、上述した様に用紙カセット１００が装置本体２に装着された場合、分離斜面１４より装置奥方に入り込み、送り出される用紙の先端と当接することはない。即ちストッパー５０ｄは、用紙給送時に用紙の給送を阻害することはない。
【００５１】
一方、図６に示す様に上段側トレイ６０についても下段側トレイ５０と同様に、その底面６０ａに、用紙長さ方向にスライド可能なエッジガイド６２と、用紙幅方向にスライド可能なエッジガイド６１Ａ、６１Ｂと、ストッパー６４と、を備えている。またピックアップローラー１０と用紙Ｐ２との接触位置に対応する場所の付近に高摩擦材６３が配置されている。
【００５２】
続いて、上段側トレイ６０の可動構造について説明する。上段側トレイ６０は、下段側トレイ５０に対してスライド可能に且つ回動可能に設けられている。  
より詳しくは、下段側トレイ５０の側壁５０ｂ、５０ｃの内側には、それぞれガイドレール５０ｈが形成されている（図４、図５では一方側の側壁５０ｂに示されたガイドレール５０ｈが示されている）。
【００５３】
また下段側トレイ５０の側壁５０ｂ、５０ｃの先端部には、上段側トレイ６０のスライド方向に延びるガイド孔５０ｅが形成されている。  
一方、上段側トレイ６０の先端部両側には、「回動軸」としてのボス６０ｃと、「被支持部」としての突起６０ｅとが形成されている。ボス６０ｃは、上段側トレイ６０において用紙送り出し方向の先端側に設けられており、突起６０ｅは、ボス６０ｅに対し、上段側トレイ６０のスライド方向に所定の間隔を置いて設けられている。
【００５４】
そしてボス６０ｃが下段側トレイ５０のガイド孔５０ｅに入り込んだ状態となるとともに、突起６０ｅが下段側トレイ５０のガイドレール５０ｈに支持された状態となることで、上段側トレイ６０が下段側トレイ５０に対してスライド可能に支持された状態となる。
【００５５】
即ち上段側トレイ６０は、２つのボス６０ｃと２つの突起６０ｅの、計４箇所で下段側トレイ５０によって支持されるとともに、この４箇所が下段側トレイ５０と接してスライドすることとなる。尚、ボス６０ｃの先端にはボス６０ｃより径の大きいフランジ部６０ｄが形成されていて、ガイド孔５０ｅの縁に係止できる様になっている。
【００５６】
上段側トレイ６０の一方側の端部上面には、上段側トレイ６０のスライド方向に沿ってラック部６０ｂが形成されており、このラック部６０ｂに、図示しないピニオン歯車が噛合することによってラック＆ピニオン機構が構成され、そして図示しないモーターの動力によってピニオン歯車が回転することにより上段側トレイ６０が給送可能位置（突き当たり位置：図３）と退避位置（図２）との間をスライド変位する様になっている。
【００５７】
ところで、上段側トレイ６０が下段側トレイ５０に支持された状態において、上段側トレイ６０に形成された突起６０ｅの上方には「拘束手段」としてのストッパー５０ｆが設けられており、上段側トレイ６０が給送可能位置（突き当たり位置：図３）以外にあるときは、ストッパー５０ｆによって突起６０ｅ、即ち上段側トレイ６０の後方側がスライド方向と交差する方向（具体的には、上方）に変位しないよう、拘束された状態となる。
【００５８】
そして上段側トレイ６０が給送可能位置（突き当たり位置：図３）にあるときは、突起６０ｅの上方には図７、図８に示す様に非拘束部５０ｇが位置しており、即ちストッパー５０ｆによる突起６０ｅの拘束が解除される様になっている。従ってこの状態では、上段側トレイ６０は、前方側のボス６０ｃを回動軸として、図９から図１０への変化で示す様に、また図１１の仮想線及び符号６０’で示す様に、立位姿勢をとる方向に回動可能となる。
【００５９】
これにより、以下の様な作用効果を奏する。即ち、上段側トレイ６０において用紙送り出し方向の先端側にはストッパー６４が設けられている（図４、図６）。ストッパー６４は、上段側トレイ６０に用紙をセットする際に当該用紙が脱落しない様に用紙先端を規制する機能を果たすが、上段側トレイ６０がそのスライド可能範囲において突き当たり位置以外の場所にあるときに上段側トレイ６０を回動させると、ストッパー６４が下段側トレイ５０に収容された用紙の記録面に接して、当該記録面を傷める虞がある。
【００６０】
しかしながら上述した様に、上段側トレイ６０は突き当たり位置にあるときにのみ回動可能であるので、この状態で上段側トレイ６０を回動させても、図１０に示す様にストッパー６４は下段側トレイ５０に収容された用紙Ｐ１の先端側に外れることとなり、これによりストッパー６４が下段側トレイ５０に収容された用紙Ｐ１の記録面にダメージを与えることを防止できる。
【００６１】
尚、上段側トレイ６０が図１０に示す様に回動した状態（開いた状態）では、下段側トレイ５０の用紙収容領域が開放されるので、この状態において下段側トレイ５０に用紙を容易にセットすることができる。この一連の作業（上段側トレイ６０を回動させて、下段側トレイ５０に用紙をセットする作業）は、用紙カセット１００が装置本体２から取り外された状態で行われる。
【００６２】
ところで上段側トレイ６０は、その回動可能範囲において少なくとも下段側トレイ５０との成す角が最も小さい第１の姿勢（図４、図７、図９、図１０（実線））にあるとき、下段側トレイ５０に対してスライド可能となっている。
【００６３】
しかしながら、用紙カセット１００が装置本体２から取り外され、そして上段側トレイ６０が第１の姿勢から回動させられ、第１の姿勢以外の姿勢をとった場合でも、即ち上段側トレイ６０の突起６０ｅが下段側トレイ５０のストッパー５０ｆより上側にあるときでも、ボス６０ｃがガイド孔５０ｅを変位することで、上段側トレイ６０はスライドすることが可能となる。
【００６４】
しかしながらこの様な状態はアブノーマル状態であり、即ち上段側トレイ６０は半開き状態となるので、この状態のまま（ユーザーが気付かずに）用紙カセット１００が装置本体２に装着されると、装置の故障を招く虞がある。
【００６５】
そこで、図１２（Ａ）、（Ｂ）に示す様にガイド孔５０ｅ’を構成することも好適である。ガイド孔５０ｅ’は、先端側に凹部５０ｊを有しており、上段側トレイ６０が突き当たり位置にある際に上段側トレイ６０を回動させると、図１２（Ａ）から図１２（Ｂ）への変化に示す様にボス６０ｃが凹部５０ｊに落ち込むこととなる。
【００６６】
これにより、上段側トレイ６０が第１の姿勢以外の姿勢をとる際に、ボス６０ｃがガイド孔５０ｅ’内を変位しない様規制することができる。即ち凹部５０ｊが、上段側トレイ６０のスライド動作を規制する規制手段を構成する。また、ボス６０ｃが凹部５０ｊに落ち込むことで、上段側トレイ６０が回動する際にボス６０ｃがガイド孔５０ｅ’内で動き難くなり、これにより上段側トレイ６０を安定して回動させることができる。
【００６７】
尚、ボス６０ｃをガイドするガイド孔に凹部５０ｊを形成する場合、図１２（Ａ）の状態、即ち上段側トレイ６０の第１の姿勢においてボス６０ｃが凹部５０ｊに落ち込まない様に（第１の姿勢を維持できる様に）、上段側トレイ６０において下段側トレイ５０に支持される突起６０ｅを更に設け（例えば、ボス６０ｃよりやや後方側の位置）、複数の突起６０ｅによって図１２（Ａ）の状態を維持できる様にすることが好ましい。
【００６８】
尚、ガイド孔は、図１３において符号５０’’で示す様に構成することもできる。図１３に示すガイド孔５０ｅ’’には、突起５０ｋが設けられている。上段側トレイ６０が突き当たり位置に位置決めされる際、ボス６０ｃは、突起５０ｋを乗り越えて図１３の突き当たり位置に移動する。これにより、上段側トレイ６０が回動する際にボス６０ｃがガイド孔５０ｅ’’内で動き難くなり、これにより上段側トレイ６０を安定して回動させることができる。
【００６９】
そして以上説明した構成から明かな様に、本発明に係る用紙カセット１００によれば、上段側トレイ６０は、回動する際の回動軸となるボス６０ｃが、下段側トレイ６０によって直接支持されることとなるので、上段側トレイ６０を、例えば下段側トレイ５０に対して回動しない固定部を介して連結する必要がなくなり、複数段式の用紙カセットを、より一層簡単な構造によって低コスト化を図ることができる。
【００７０】
続いて、上段側トレイ６０において用紙送り出し方向の先端側に設けられたストッパーについて説明する。図４、図６に示す様に、上段側トレイ６０において用紙送り出し方向の先端側には、ストッパー６４が設けられている（本実施形態では、２箇所）。ストッパー６４は、第１ストッパー部６０ｆと第２ストッパー部６０ｇとを備えて構成されている。
【００７１】
第１ストッパー部６０ｆは、用紙先端と対向することで、下段側トレイ５０に用紙がセットされた際に当該用紙が飛び出さない様に用紙を規制する機能を果たす。第２ストッパー６０ｇは、第１ストッパー６０ｆから用紙先端上面に差し掛かる位置まで延びる様に形成されており、上段側トレイ６０が立位姿勢をとる方向に回動した際に、上段側トレイ６０に収容された用紙が脱落することを防止する。
【００７２】
即ち、図９から図１０への変化に示す様に、上段側トレイ６０に用紙が収容されている状態で下段側トレイ５０に用紙をセットする為に、上段側トレイ６０を回動させると、当該上段側トレイ６０に収容されている用紙も立位姿勢となるので、上段側トレイ６０から脱落する虞がある。
【００７３】
しかしながら上述した様に、ストッパー６４は用紙先端と対向する第１ストッパー部６０ｆのみならず、用紙先端上面にまで差し掛かる第２ストッパー６０ｇを備えて構成されているので、図１０に示す様に第２ストッパー６０ｇが用紙先端を確実に保持し、上段側トレイ６０から用紙が脱落することを防止することができる。
【符号の説明】
【００７４】
１  インクジェットプリンター、２  記録部（装置本体）、３  スキャナ部、４  原稿カバー、５  操作パネル、６  手差しカバー、７  手差しトレイ、８  排紙受けトレイ、１０  ピックアップローラー、１１  揺動部材、１２  揺動軸、１４  分離斜面、１７  中間ローラー、１８〜２１  従動ローラー、２４  搬送駆動ローラー、２５  搬送従動ローラー、２８  支持部材、２９  キャリッジ、３０  記録ヘッド、３１  排出駆動ローラー、３２  排出従動ローラー、５０  下段側トレイ、５０ａ  底面、５０ｂ  側壁、５０ｃ  側壁、５０ｄ  ストッパー、５０ｅ  ガイド孔、５０ｆ  ストッパー、５０ｇ  非拘束部、５０ｈ  ガイドレール、５０ｊ  凹部、５１  エッジガイド、５２  エッジガイド、５３  高摩擦材、５９  カバー、６０  上段側トレイ、６０ａ  底面、６０ｂ  ラック部、６０ｃ  ボス、６０ｄ  フランジ部、６０ｅ  突起、６０ｆ  第１ストッパー、６０ｇ  第２ストッパー、６１Ａ、６１Ｂ  エッジガイド、６２  エッジガイド、６３  高摩擦材、６４  ストッパー、１００  用紙カセット、Ｐ、Ｐ１、Ｐ２  記録用紙
【図１】
0005920566.tif 000002
【図２】
0005920566.tif 000003
【図３】
0005920566.tif 000004
【図４】
0005920566.tif 000005
【図５】
0005920566.tif 000006
【図６】
0005920566.tif 000007
【図７】
0005920566.tif 000008
【図８】
0005920566.tif 000009
【図９】
0005920566.tif 000010
【図１０】
0005920566.tif 000011
【図１１】
0005920566.tif 000012
【図１２】
0005920566.tif 000013
【図１３】
0005920566.tif 000014